(57)【特許請求の範囲】
【請求項１】
操作部および内容物出力部を有してステムに取り付けられた放出ユニットが容器本体のカバー体の一部を支点として回動することにより、当該ステムがその使用モード位置に駆動される内容物放出機構において、
前記放出ユニットは、
前記カバー体と結合せずに、
前記回動の際、前記カバー体の一部に案内されながら、前記ステムとこれに対するステム受け部との結合状態がその初期設定のままに維持される方向に移動する、
態様で設けられていることを特徴とする内容物放出機構。
【請求項２】
放出操作のとき、前記放出ユニットは、その上面側の一部が前記カバー体に当接してこれに案内されながら回動するとともに、前記方向に移動する、
ことを特徴とする請求項１記載の内容物放出機構。
【請求項３】
放出操作のとき、前記放出ユニットは、その全体が下動した後、その下面側の一部が前記カバー体に当接してこれに案内されながら回動するとともに、前記方向に移動する、
ことを特徴とする請求項１記載の内容物放出機構。
【発明の詳細な説明】
【０００１】
【発明の属する技術分野】
本発明は、エアゾール容器やポンプ容器などの各種容器で用いられる内容物放出機構に関し、特に操作部の回動をともなうかたちでステムが駆動される形式の内容物放出機構を対象とする。
【０００２】
この回動タイプの内容物放出機構においては、操作部側と、これの回動により押し下げられたステムとの間の嵌合状態を確実なものにすることが望ましく、本発明はこの要請に応えるものである。
【０００３】
【従来の技術】
図６は、従来の、回動操作タイプのエアゾール容器の使用モードを示す説明図であり、
１１は内容物を収容した容器,
１２は当該容器に固定したマウンテンキャップ,
１３は当該マウンテンキャップの中央開口部から突出したステム,
１４はカバー体, １４ａはその下端側内周面が容器１１に当接した外筒，１４ｂはその下端側内周面の突状部が容器１１（およびマウンテンキャップ１２）の外周面の凹状部と係合した内筒，１４ｃは放出用開口側の内上面，
１５は当該カバー体との接続片部，
１６は当該接続片部と一体の操作部，１６ａは後述のステム受部をいわばリンク結合状態で保持する凹状部，
１７はステム１３に嵌合させたステム受部，１７ａはステム１３を嵌合状態で保持する凹状部，１７ｂは内容物の通路部，１７ｃは鍔付きでピン状のリンク結合部，
１８は当該ステム受部に嵌合させた連結部，１８ａはカバー体１４の内上面１４ｃに接して当該連結部およびステム受部１７の回動支点となる放出側上端部，１８ｂは内容物の通路部，
１９は回動可能な状態で当該連結部に取り付けたノズル部，
２０はステム１３が図示のように押し下げられたとき（使用モード）に当該ステムとステム受部１７の凹状部１７ａとの間に生じる隙間，
をそれぞれ示している。英文字付きの参照番号の各部分は、その数字に対応の構成要素の一部である。
【０００４】
ステム１３（の下側部分）は、マウンテンキャップ１２に取り付けたハウジング（図示省略）内部に保持され、図示の上方向に弾性力で付勢されている。
【０００５】
したがって、操作部１６が押圧されていない非使用モード（図示省略）のときは、図示の位置よりもステム１３が上動して操作部１６やステム受部１７などが連結部１８の放出側上端部１８ａを支点に反時計方向に回動した状態になる。
【０００６】
この上動にともない、ステム１３の弁作用部（図示省略）が閉じて容器内部と外部空間とが遮断される。また、ステム１３とステム受部１７とはそれぞれの長手方向が一直線状になるので、両者の間に図示のような隙間２０が生じることはない。
【０００７】
非使用モードの操作部１６を押して図示の使用モードにするとき、接続片部１５によりカバー体１４と一体になっている当該操作部や、これとリンク結合しているステム受部１７などのいわば放出ユニットが、連結部１８の放出側上端部１８ａを支点にして時計方向に回動する。
【０００８】
そして、ステム１３が反時計方向に傾斜しながら下動して当該ステムの弁作用部が開く。これにより、容器１１の内容物がステム１３−通路部１７ｂ，１８ｂを経てノズル部１９から放出される。
【０００９】
このとき、ステム１３およびステム受部１７それぞれの傾きの方向が逆、すなわちステム１３は図示の右上がり、ステム受部１７は図示の右下がりとなって、両者の長手方向は一直線状にならない。そのため、ステム受部１７の凹状部１７ａとステム１３の嵌合部分との間には隙間２０が生じる。
【００１０】
【発明が解決しようとする課題】
このように、従来の回動操作タイプの放出機構の場合、操作部がカバー体にいわば拘束された状態で回動するため、当該回動にともなうステムの傾きに操作部やこれと一体のステム受部などが対応して変位することができない。
【００１１】
その結果、ステムとステム受部との嵌合部分に隙間が生じて当該部分のシール性能が低下し、そこから内容液などが吹き出してカバー体とマウンテンキャップとの嵌合部分にかかり、両者間の嵌合力が弱くなって当該カバー体が容器から外れ易くなるなどの問題点があった。
【００１２】
そこで、本発明では、回動可能な操作部をカバー体に結合せずに、当該操作部および内容物出力部からなる放出ユニットが回動操作に基づくステムの傾斜の復帰方向に移動できるようにして、操作部の回動をともなう使用モードのときにも、ステムとこれの嵌合部（ステム受部）との間の十分なシール性能を確保することを目的とする。
【００１３】
【課題を解決するための手段】
本発明は、この課題などを次のようにして解決する。
（１）操作部（例えば後述の操作部２）および内容物出力部（例えば後述の連結部３，４やロータ５，ノズル６）を有してステム（例えば後述のステム１３）に取り付けられた放出ユニットが容器本体のカバー体（例えば後述のカバー体１）の一部を支点として回動することにより、当該ステムがその使用モード位置に駆動される内容物放出機構において、前記放出ユニットを、前記カバー体と結合せずに、前記回動の際、前記カバー体の一部に案内されながら、前記ステムとこれに対するステム受け部（例えば後述のステム受け部２ｂ）との結合状態がその初期設定のままに維持される方向に移動する、態様で設ける。
（２）上記（１）において、放出操作のときのカバー体と放出ユニットとの関係を、放出ユニットの上面側の一部が当該カバー体に当接して、当該放出ユニットはこれに案内されながら回動し、かつ前記方向に移動する、ように設定する。
（３）上記（１）において、放出操作のときのカバー体と放出ユニットとの関係を、放出ユニットの全体が下動してからその下面側の一部が当該カバー体に当接して、当該放出ユニットはこれに案内されながら回動し、かつ前記方向に移動する、ように設定する。
【００１４】
本発明によれば、上記（１）のように、操作部や内容物出力部からなる放出ユニットを容器本体のカバー体に結合せず、放出操作時の当該放出ユニットの回動にともなうステムの傾きを元に戻す方向に移動できるようにし、これにより操作部回動時のステムとこれの嵌合部との間のシール性能を十分に確保している。
【００１５】
また、上記（２），（３）のように、操作部回動時に放出ユニットがカバー体に案内されて回動するとともにステムの傾きを元に戻す方向に移動するようにし、これにより放出ユニット（操作部および内容物出力部）の回動・移動の安定性を確保している。
【００１６】
【発明の実施の形態】
図１乃至図５を参照して本発明の実施の形態を説明する。なお、放出ユニットやカバー体の「前」および「後」を図１で示した方向とする。
【００１７】
先ず、放出ユニットＡは後述のように、
・カバー体１から独立したかたちでステム１３と嵌合した操作部２
・当該操作部と嵌合した第１の連結部３
・当該連結部と嵌合した第２の連結部４
・当該連結部に回動可能なかたちで取り付けたロータ５
・当該ロータと嵌合したノズル６
とからなっている。
【００１８】
そのため、放出ユニットＡはカバー体１に対して上下方向およびこれと略直交の方向の双方に移動することができる。
【００１９】
図１乃至図５において、
１は図６と同様の態様で容器１１に取り付けた筒状のカバー体，１ａは外筒，１ｂは内筒，１ｃは当該内筒の段部，１ｄは当該カバー体の出力開口側に形成した案内窓部，１ｅは当該案内窓部の対向する内側面のそれぞれに形成したリブ，１ｆは当該リブの天面（下面），１ｇは内筒１ｂから外筒１ａの方に延びた一対の第１の垂直片，１ｈは当該垂直片の延長線上に外筒１ａから内筒１ｂの方に延びた一対の第２の垂直片，１ｊはこの第１・第２の垂直片間のスリット部，１ｋは後述の操作部を収容する開口部，１ｍは案内窓部１ｄの下側端部，
２はカバー体１から独立した操作部，２ａは内容物の通路部，２ｂはステム２３と嵌合したステム受部，２ｃは筒状の出力部，
３は第１の連結部，３ａは内容物の通路部，３ｂは筒状の入力部，３ｃは筒状の出力部，３ｄは当該通路部に対する栓，
４は第２の連結部，４ａは内容物の通路部，４ｂは鞘状の入力部，４ｃは当該入力部の底面に形成した孔部，４ｄは鞘状の出力部，４ｅは当該連結部の一対の側面に形成した位置規制用の凸状部，
５はロータ（回動式の連結部），５ａは入力部，５ｂは当該入力部の外周面周方向に形成した溝状の内容物通路部，５ｃは当該通路部に形成した孔部，５ｄは当該孔部に続くトンネル状の内容物通路部，５ｅは回動基部，５ｆは筒状の出力部，５ｇは当該ロータの入力部５ａと連結部４の出力部４ｄとの間のシール性を確保するためのＯリング，
６は回動可能なノズル、
をそれぞれ示している。その他の参照番号はそれぞれ図５の場合と同じものを示している。
【００２０】
なお、カバー体１および放出ユニットＡは合成樹脂製であり、英文字付きの参照番号の各部分は、その数字に対応の構成要素の一部である。
【００２１】
放出ユニットＡの各構成要素は図５などに示すように、
・操作部２の出力部２ｃの内周面と、第１の連結部３の入力部３ｂの外周面とが嵌合し、
・第１の連結部３の出力部３ｃの外周面と、第２の連結部４の入力部４ｂの内周面とが嵌合し、
・第２の連結部４の出力部４ｄの内周面と、ロータ５の入力部５ａの外周面などとが回動可能なかたちで結合し、
・ロータ５の出力部５ｆの内周面と、ノズル６の外周面とが嵌合している。
【００２２】
ここで、放出ユニットＡをカバー体１に組み込むには、当該カバー体の開口部１ｋから案内窓部１ｄの方に、当該放出ユニットのノズル６の側を先頭にして入れていけばよい。
【００２３】
このとき、第２の連結部４の凸状部４ｅがカバー体１の第１の垂直片１ｇをその弾性に抗して押し広げながらスリット部１ｊまで進んだ状態で安定する。放出ユニットＡがカバー体１に結合されていないことは勿論である。
【００２４】
この放出ユニットＡおよびカバー体１のアセンブリ状態では、
・当該放出ユニットをヒップアップするように、操作部２の下端部がカバー体１（開口部１ｋ）の内周面に形成した突部（図示省略）に係止され、
・第２の連結部４またはロータ５の底面部分が案内窓部１ｄ（カバー体１）の下側端部１ｍに当接し、
・第２の連結部４の出力部４ｄおよびロータ５の回動基部５ｅは案内窓部１ｄの側面間に保持される。
【００２５】
このアセンブリをステム１３に自動装填するときには、凸状部４ｅとスリット部１ｊとの前後方向におけるこの所定範囲での位置規制作用があるので、カバー体１およびステム１３間の位置決めを考慮すればよい。
【００２６】
この自動装填後は、それまでの操作部２の下端部とカバー体１（開口部１ｋ）の突部との上記係止状態が解除される。
【００２７】
また、先のアセンブリ化のときに第２の連結部４の凸状部４ｅがカバー体１のスリット部１ｊに入り込んでいるので、放出ユニットＡは、凸状部４ｅがこのスリット部に位置する範囲内で回動するとともに、図示の左右方向および上下方向にに移動できる。
【００２８】
図１は、ヒップアップ式のエアゾール容器の非使用モード（初期状態）を示している。
【００２９】
このとき、
・放出ユニットＡは、そのロータ５（回動基部５ｅ）の上側外周面が案内窓部１ｄのリブ１ｅの天面１ｆに当接し、かつ、その全体が案内窓部１ｄの下側端部１ｍから離れた状態で、反時計方向に1.7 度ほど傾斜し、
・ステム１３は上述のように上動してその弁部分（図示省略）が閉じている。
【００３０】
図２は、図１のエアゾール容器の使用モード（操作部２を回動した状態）を示している。このときの回動支点はロータ５の回動基部５ｅと案内窓部１ｄの天面１ｆとの当接部分である。
【００３１】
図１からの変化は、
・ロータ５（回動基部５ｅ）の上側外周面が案内窓部１ｄのリブ１ｅの天面１ｆに当接したまま、放出ユニットＡが後退したこと
・放出ユニットＡの傾斜が反時計方向の1.7 度ほどになったこと
・ステム１３が上述のように下動してその弁部分（図示省略）が開いたこと
などである。
【００３２】
放出ユニットＡの回動および後退にともなって、第２の連結部４の凸状部４ｅの位置は図２に示すように変化する。
【００３３】
また、弁部分が開くことにより、容器１１の内容物は、ステム１３−操作部２の通路部２ａ−第１の連結部３の通路部３ａ−第２の連結部４の通路部４ａ−ロータ５の通路部５ｂ，孔部５ｃ，通路部５ｄ−ノズル６を経由して外部空間に放出される。
【００３４】
図１の非使用モードから図２の使用モードに移行する際にも、操作部２のステム受部２ｂが時計方向に回動するので、ステム１３に対してこれを図６と同じように反時計方向に回動させようとする力が働く。
【００３５】
ところが、放出ユニットＡは、第２の連結部４の凸状部４ｅがカバー体１のスリット部１ｊの範囲内であれば、カバー体１に拘束されることなしに前後動できるので、このステム１３に対する反時計方向への回動力のいわば反作用を受けて後退する。
【００３６】
この後退作用により、ステム受部２ｂとステム１３との嵌合状態は初期設定のままに維持され、両者間に図６のような隙間２０が生じることはない。
【００３７】
図３は、ノンヒップアップ式のエアゾール容器の非使用モード（初期状態）を示している。図１との違いは、放出ユニットＡが水平状態になっていることである。
【００３８】
図４は、図３のエアゾール容器の使用モード（操作部２を押し下げた状態）を示している。この押し下げ操作の場合、操作部２の上面の図示左側部分を押すほうがよい。
【００３９】
図３からの変化は、
・ロータ５（回動基部５ｅ）の上側外周面が案内窓部１ｄのリブ１ｅの天面１ｆから離れたこと
・放出ユニットＡが後退したこと
・放出ユニットＡを構成する第２の連結部４の底面部分が案内窓部１ｄの下側端部１ｍに当接したこと
・放出ユニットＡが水平状態から反時計方向に1.９度ほど傾斜したこと
・ステム１３が上述のように下動してその弁部分（図示省略）が開いたこと
などである。
【００４０】
なお、内容物の放出経路は図２のそれと同じである。また、第２の連結部４に代えてロータ５（回動基部５ｅ）の底面部分が案内窓部１ｄの下側端部１ｍに当接するようにしてもよい。
【００４１】
図３の非使用モードから図４の使用モードへの移行に際しては、
(1) 先ず、放出ユニットＡが略水平状態のまま１ｍｍほど下動し（この下動時点で連結部４の底面部分が案内窓部１ｄの下側端部１ｍに当接する）、
(2) 次に、この当接部分を支点として放出ユニットＡが時計方向に回動し、かつ後退する。
【００４２】
この回動時の放出ユニットＡの動きは図１から図２へ移行するときのそれと同様であり、放出ユニットＡの後退作用によってステム受部２ｂとステム１３との嵌合状態は図２の場合と同じく初期設定のままに維持される。
【００４３】
放出ユニットＡの回動および後退にともなって、第２の連結部４の凸状部４ｅの位置は図４に示すように変化する。
【００４４】
図５は、操作部を除いた放出ユニットＡの断面状態を示している。
上述のように、放出ユニットＡは操作部２，第１の連結部３，第２の連結部４，ロータ５およびノズル６を結合させた一体物である。
【００４５】
本発明の内容物放出機構は、図示のものに限定されるものではなく、
・ヒップアップ式のものにおいて押し下げ操作を行なうケース
・ノンヒップアップ式のものにおいて回動操作を行なうケース
・カバー体１（案内窓部１ｄ）の天面１ｆと下側端部１ｍとの図示上下方向のの長さが図３のそれよりも長くて、押し下げ操作の場合には、放出ユニットＡがこの下側端部１ｍから離れた状態で使用モードとなるケース、すなわち押し下げ操作時の操作部が最後まで回動しないケース（の回動操作）
などにも適用できることは勿論である。
【００４６】
【発明の効果】
本発明は、このように、回動操作部および内容物出力部からなる放出ユニットを容器本体のカバー体に結合せず、放出操作時の放出ユニットの回動にともなうステムの傾きを元に戻す方向に移動できるようにしているので、操作部回動時のステムとこれの嵌合部との間のシール性能を十分に確保することができる。
【００４７】
また、操作部の回動時に放出ユニットがカバー体に案内されながら回動するとともにステムの傾きを元に戻す方向に移動するようにしているので、放出ユニットの回動・移動の安定性を確保することができる。
【図面の簡単な説明】
【図１】本発明の、ヒップアップ式のエアゾール容器の非使用モード（初期状態）を示す説明図である。
【図２】本発明の、図１のエアゾール容器の使用モード（操作部２を回動した状態）を示す説明図である。
【図３】本発明の、ノンヒップアップ式のエアゾール容器の非使用モード（初期状態）を示す説明図である。
【図４】本発明の、図３のエアゾール容器の使用モード（操作部２を押し下げた状態）を示す説明図である。
【図５】本発明の、操作部を除いた放出ユニットＡの断面状態を示す説明図である。
【図６】従来の、回動操作タイプのエアゾール容器の使用モードを示す説明図である。
【符号の説明】
１：カバー体
１ａ：外筒
１ｂ：内筒
１ｃ：内筒１ｂの段部
１ｄ：出力開口側に形成した案内窓部
１ｅ：案内窓部１ｄの対向する内側面のそれぞれに形成したリブ
１ｆ：リブ１ｅの天面（下面）
１ｇ：一対の第１の垂直片
１ｈ：第２の垂直片
１ｊ：第１・第２の垂直片１ｇ，１ｈ間のスリット部
１ｋ：操作部２を収容する開口部
１ｍ：案内窓部１ｄの下側端部
２：カバー体１から独立した操作部
２ａ：内容物の通路部
２ｂ：ステム受部
２ｃ：筒状の出力部
３：第１の連結部
３ａ：内容物の通路部
３ｂ：筒状の入力部
３ｃ：筒状の出力部
３ｄ：通路部３ａに対する栓
４：第２の連結部
４ａ：内容物の通路部
４ｂ：鞘状の入力部
４ｃ：入力部４ｂの底面に形成した孔部
４ｄ：鞘状の出力部
４ｅ：連結部４の側面に形成した位置規制用の凸状部
５：ロータ（回動式の連結部）
５ａ：入力部
５ｂ：溝状の内容物通路部
５ｃ：孔部
５ｄ：孔部５ｃに続くトンネル状の内容物通路部
５ｅ：回動基部
５ｆ：筒状の出力部
５ｇ：Ｏリング
６：ノズル
１１：容器
１２：マウンテンキャップ
１３：ステム
１４：カバー体
１４ａ：外筒
１４ｂ：内筒
１４ｃ：放出用開口側の内上面
１５：接続片部
１６：接続片部と一体の操作部
１６ａ：凹状部
１７：ステム受部
１７ａ：凹状部
１７ｂ：内容物の通路部
１７ｃ：リンク結合部
１８：連結部
１８ａ：放出側上端部
１８ｂ：内容物の通路部
１９：ノズル部
２０：ステムとステム受部との間に生じる隙間
【図１】
0003731012.tif 000002
【図２】
0003731012.tif 000003
【図３】
0003731012.tif 000004
【図４】
0003731012.tif 000005
【図５】
0003731012.tif 000006
【図６】
0003731012.tif 000007